(57)【要約】　　　（修正有）【課題】構造が簡単で作業性に富み、斬新な構造の梁の接合装置を提供する。【解決手段】相隣接する一方の柱１４上に載置する一方の梁６の端部と、他の一方の柱１４ａ上に載置する他の一方の梁６ａの端部を互いに接合するようにする。前記一方の梁６の一方の柱１４からの突出量より前記他の一方の柱１４ａからの突出量を長くして該他の一方の柱１４ａ上に載置する前記他の一方の梁６ａの端面に、基端部を嵌入させて止着し、しかも、先端側に引寄せ用の係合切欠２と該係合切欠２の下側に配した透孔をそれぞれ設けた接合板Ａを突設する。そして、接合板Ａを嵌入するスリット１１を端面に設けた前記一方の梁６の端部には、前記係合切欠２に係合する掛止杆７を前記スリット１１を横切って挿着する一方、前記透孔４と一致する、ドリフトピン装着用の貫通孔１３を横設する。【選択図】図１
2004027710.tif 000002
【特許請求の範囲】
【請求項１】
相隣接する一方の柱上に載置する一方の梁の端部と、他の一方の柱上に載置する他の一方の梁の端部を互いに接合するようにした梁の接合装置において、前記一方の梁の一方の柱からの突出量より前記他の一方の柱からの突出量を長くして該他の一方の柱上に載置する前記他の一方の梁の端面に、基端部を嵌入させて止着し、しかも、先端側に引寄せ用の係合切欠と該係合切欠の下側に配した透孔をそれぞれ設けた接合板を突設し、該接合板を嵌入するスリットを端面に設けた前記一方の梁の端部には、前記係合切欠に係合する掛止杆を前記スリットを横切って挿着する一方、前記透孔と一致する、ドリフトピン装着用の貫通孔を横設した、梁の接合装置。
【発明の詳細な説明】
【０００１】
【産業上の利用分野】
本発明は、相隣接する一方の柱上に載置する一方の梁の端部と、他の一方の柱上に載置する他の一方の梁の端部を互いに接合するようにした梁の接合装置に関するものである。
【０００２】
【従来の技術】
具体例を挙げるまでもなく、互いに接合する梁の端部に継手加工を施し、該加工部同士を接合するようにしている。
【０００３】
【発明が解決しようとする課題】
従来例は、梁の端部に複雑な継手加工を施すためその加工作業が煩雑であり、また、複雑な形状の継手加工部を用いて接合するものであるから煩雑な接合作業となる。
【０００４】
本発明は、斯様な従来例の欠点に着目し、構造が簡単で作業性が有り、斬新な構造の梁の接合装置を提供することを目的として創案したものである。
【０００５】
【課題を解決するための手段】
相隣接する一方の柱上に載置する一方の梁の端部と、他の一方の柱上に載置する他の一方の梁の端部を互いに接合するようにした梁の接合装置において、前記一方の梁の一方の柱からの突出量より前記他の一方の柱からの突出量を長くして該他の一方の柱上に載置する前記他の一方の梁の端面に、基端部を嵌入させて止着し、しかも、先端側に引寄せ用の係合切欠と該係合切欠の下側に配した透孔をそれぞれ設けた接合板を突設し、該接合板を嵌入するスリットを端面に設けた前記一方の梁の端部には、前記係合切欠に係合する掛止杆を前記スリットを横切って挿着する一方、前記透孔と一致する、ドリフトピン装着用の貫通孔を横設した構成とする。
【０００６】
【発明の実施の形態】
図面は本発明に係る梁の接合装置の一実施形態を示し、図１は正面図、図２は要部の一部欠截拡大正面図、図３は図２の横断面図である。
【０００７】
図中、Ａは実施形態で用いる接合板で、接合板Ａはほぼ方形状の鋼板で成る主体板１の一側上端に縦設した係合切欠２を備え、この係合切欠２の下側に位置するようにドリフトピン３用の透孔４，４を並設し、他の一側には、前記係合切欠２と下縁位置を同じくする螺杆用透孔５と、この透孔５の下側に前記透孔４，４と同一高さにしてドリフトピン３用の透孔４ａ，４ａを設けて構成したもので、係合切欠２は互いに接合する一方の梁６に横設した掛止杆７（実施形態はナット８を螺合して締付けたボルト杆で構成してある）の径とほぼ同じくする径幅を備え、下部を互いに接合する他の一方の梁６ａ方向に屈曲した形状にして前記掛止杆７の受止縁（前記下縁）９とし、また、相対する上部側縁部を、主体板１の上端縁１´方向に漸次離開する傾斜縁２´，２´とし、前記掛止杆７がこの傾斜縁２´に案内されて係合切欠２に対する係合が円滑に行われるようにしてある。
【０００８】
しかして、前記一方の梁６の端部６´に、端面中央を開口したスリット１１と、前記接合板Ａの主体板１の一側に設けた係合切欠２及び透孔４，４と一致するようにして貫通孔１２，１３，１３を前記スリット１１を横切るようにして形成し、最上位の貫通孔１２に前記掛止杆７を構成するボルト杆を貫通させてその先端にナット８を螺合して組付ける。
【０００９】
また、前記一方の梁６と互いに接合する他の一方の梁６ａの端部６ａ´に梁６側と同様に端面中央を開口したスリット１１ａを設ける一方、前記接合板Ａの主体板１の他の一側に設けた螺杆用透孔５及び透孔４ａ，４ａと一致する貫通孔１２ａ，１３ａ，１３ａを前記スリット１１ａを横切るようにして形成し、スリット１１ａに主体板１の螺杆用透孔５側の一側を嵌挿して、主体板１の該一側側に設けた螺杆用透孔５と該透孔５の下側に位置する透孔４ａ，４ａを他の一方の梁端部６ａ´に設けた貫通孔１２ａ，１３ａ，１３ａに一致させ、螺杆用透孔５とこれに一致する最上位の貫通孔１２ａに螺杆７ａを貫通させてその先端にナット８ａを螺合して締付ける一方、互いに一致する貫通孔１３ａと透孔４ａにドリフトピン３を打込み貫通させて他の一方の梁６ａの端部６ａ´に接合板Ａをいわば基部を止着した形で係合切欠２側の先端を突設させるのである。
【００１０】
なお、梁６ａの端部６ａ´に接合板Ａを突設するに際し、スリット１１ａに嵌挿した接合板Ａ（主体板１）の一側側を、前記の通り、螺杆７ａとこれに螺合するナット８ａで締付けるようにしたのは、その締付けが、仮止め機能をなし、透孔４ａと貫通孔１２ａへの次段のドリフトピン３の打込み作業を円滑に行うためで、総じて接合板Ａの梁端部６ａ´の取付作業を簡単に行うためである。
【００１１】
スリット１１，１１ａの形成等の梁６，６ａの加工作業や、掛止杆７や接合板Ａの梁６，６ａとの組付け（取付け）作業は、プレカット工場で量産的に行われることにより作業性が向上するのは勿論である。
【００１２】
そして、相隣接する柱１４，１４ａの一方の柱１４ａの上に接合板Ａを端面より突設させた一方の梁６ａを、前記一方の梁６の一方の柱１４からの突出量より長くするようにして前記一方の柱１４ａに載置し、他の一方の柱１４上に掛止杆７を取付けた他の一方の梁６を載置しつつ掛止杆７を接合板Ａに設けた係合切欠２に沿って落し込むと（このとき、接合板Ａは一方の梁６側に設けたスリット１１に係合することはいうまでもない）、掛止杆７は係合切欠２を構成する傾斜縁２´に案内され降下し、梁６，６ａ間の引寄せが行われ、受止縁９上に受支され梁６，６ａ同士は仮接合される。
【００１３】
次いで、一方の梁６側に設けた透孔４と該透孔４に一致する貫通孔１３に、ドリフトピン３を打ち込むことにより梁６，６ａの接合状態を得られる。
【００１４】
【発明の効果】
本発明は前記の通りの構成であるから、一方の梁側に設けた掛止杆を他の一方の梁側に突設した接合板の係合切欠に降下係合することにより梁同士の仮接合状態を容易に得た後、次段のドリフトピンの打込み操作を行うことができるから、総じて梁同士の接合作業を能率的に行うことができる。
【００１５】
また、柱の動きを原因とする揺動量の大きい側の梁に接合板を設けて該接合板の係合切欠に、柱の動きを原因とする揺動量の小さい（柱からの突出量が少い）側に設けた掛止ピンを掛止するようにしたものであるから、係合切欠を設けたことによる接合強度の低下を妨げ（係合切欠を設けたことによる欠損がなく）、かつ、引寄せ操作の行うことのできる接合装置を提供できる。
【図面の簡単な説明】
【図１】正面図。
【図２】要部の一部欠截拡大正面図。
【図３】図２の横断面図
【符号の説明】
２　　　係合切欠
３　　　ドリフトピン
４　　　透孔
６　　　梁
６ａ　　梁
７　　　掛止杆
１１　　スリット
１３　　貫通孔
１４　　柱
１４ａ　柱
【図１】
2004027710.tif 000003
【図２】
2004027710.tif 000004
【図３】
2004027710.tif 000005